(57)【要約】【課題】不使用時に折り畳みして嵩張らずに保管、収納できると共に、使用時に容易に立体的な帽子形状に変形して迅速に装着することができ、さらにクッション等の敷物や浮き輪などの別の機能品としても使用できる簡易保護帽を提供する。【解決手段】簡易保護帽は、所定の厚さを有する板状の合成樹脂発泡材の中心付近から外側に向かって、厚み方向に貫通した複数の渦巻き状切り込み線からなる渦巻き線状部を備え、複数の渦巻き状切り込み線は、始端が発泡材の中央部に中心から所定半径の円周上に配置され、終端が始端から３６０度を超えた位置に配置され、一重を超える渦巻き線として形成されている。【選択図】図１
2019026997.tif 000002
【特許請求の範囲】
【請求項１】
所定の厚さを有する板状の合成樹脂発泡材の中心付近から外側に向かって、厚み方向に貫通した複数の渦巻き状切り込み線からなる渦巻き線状部を備え、
前記複数の渦巻き状切り込み線は、始端が前記発泡材の中央部に中心から所定半径の円周上に配置され、終端が前記始端から３６０度を超えた位置に配置され、一重を超える渦巻き線として形成されていることを特徴とする簡易保護帽。
【請求項２】
前記複数の渦巻き状切り込み線は、始端が前記発泡材の中央部に中心から所定半径の円周上に等間隔に配置され、終端が前記始端から３６０度を超えた位置に配置され、一重を超える渦巻き線として形成されていることを特徴とする請求項１に記載の簡易保護帽。
【請求項３】
前記渦巻き状切り込み線の本数が３本以上であることを特徴とする請求項１又は２に記載の簡易保護帽。
【請求項４】
前記渦巻き状切り込み線は、該渦巻き状切り込み線の外周側又は内周側に突出するように切り込みされた突起部を有することを特徴とする請求項１から３のいずれか１項に記載の簡易保護帽。
【請求項５】
前記発泡材の外周端部の付近に少なくとも一部が厚み方向に貫通しないハーフカット線が設けられて外周端部を片方へ折り曲げ可能な折り曲げ部を備えていることを特徴とする請求項１から４のいずれか１項に記載の簡易保護帽。
【請求項６】
前記発泡材は、多角形状に形成されており、
前記折り曲げ部には、前記発泡材の各角部に対応する位置にそれぞれ根元より先端部を大きくした平面視楔形の突出部を形成するように楔形切り込み線が設けられ、
前記ハーフカット線は、前記突出部の根元の両側の前記楔状切り込み線と前記発泡材の端縁とを結ぶ位置にそれぞれ設けられていることを特徴とする請求項５に記載の簡易保護帽。
【請求項７】
前記発泡材の厚さは、頭部に装着した状態において、前記複数の渦巻き状切り込み線の間に形成された複数の帯状部の側面が互いに一部重なって隙間なく螺旋状に押し出されてドーム状に変形可能になるように形成されていることを特徴とする請求項１から６のいずれか１項に記載の簡易保護帽。
【請求項８】
前記発泡材は、発泡ポリエチレン、発泡ポリウレタン及びエチレン−酢酸ビニル共重合樹脂発泡体からなる群より選ばれた少なくとも一種の発泡樹脂から形成されている独立気泡型の発泡材であることを特徴とする請求項１から７のいずれか１項に記載の簡易保護帽。
【発明の詳細な説明】
【技術分野】
【０００１】
本発明は、不使用時に折り畳みして嵩張らずに保管、収納できると共に、災害時などに迅速に装着し使用者の頭部を確実に保護することができる簡易保護帽に関する。
【背景技術】
【０００２】
従来、作業時や災害時に避難する際などに、落下物や障害物による打撲から頭部を保護するために強化プラスチック製の略半球状のヘルメットが使用されている。しかし、このようなヘルメットは嵩張るため、不使用時の持ち運びに不便であったり、使用する人数分準備するとなるとコストが高い上に、ヘルメットの大きさに応じた保管スペースが必要となる。特に、地震等の災害に備えて多数のヘルメットを保管する必要がある場合には、重ねて保管するとしても、比較的大きな保管スペースが必要となる。そのため、各種の折り畳み型のヘルメットが提案され、利用されている。一方で、災害時に避難する場合には、多くの物を持ち運べないため、ヘルメットとして使用しない時には、別の機能品として使用できることが好ましいが、これらの折り畳み型のヘルメットは頭部保護の機能だけしかなく、ヘルメットとしてしか使用できないものがほとんどであった。
【０００３】
また、従来より、保管・収納し易く、不使用時には座布団としても使用できる防災頭巾等の折り畳み型の頭部防護具が利用されているが、ヘルメットに比べて頭部の保護性能に劣っていた。そのため、頭部の保護性能を改善しつつ、さらに、折り畳んで収納することができ、かつ災害時に容易に立体的な帽子形状に変形させて装用することができる、長尺のクッション材を用いた簡易防護帽も提案されている（特許文献１）。
【０００４】
特許文献１に記載されている簡易防護帽は、衝撃の吸収性に優れた発泡ポリウレタンシートを長尺に切断して、渦巻状に巻き取ったものを帽体として用いている。この巻き取った発泡ポリウレタンシートがほどけてしまうことがないように、巻き終わり付近はリベットで固定されている。また、リベットは同時にバンドと顎紐を帽体に固定している。このバンドは、帽体の中央部付近を押し出して、扁平形状から立体的な帽子形状に変形させて装用する際に、渦巻状の帽体を形成している細幅のポリウレタンシートがほどけてしまうことを防止している。また、バンドのずれを防ぐため、帽体の中央部付近でもバンドを固定している。
【先行技術文献】
【特許文献】
【０００５】
【特許文献１】実用新案登録第３１９６４９９号公報
【発明の概要】
【発明が解決しようとする課題】
【０００６】
上述したように、強化プラスチック製のヘルメットは、頭部を保護する性能が優れているが、コストが高く、保管には大きなスペースが必要になり、頭部保護のためのヘルメットとしてしか使用することができない、という難点があった。また、防災頭巾等の折り畳み型の頭部防護具の場合は、折り畳んで収納できるため、保管はし易いが、強化プラスチック製のヘルメットと比較すると保護性能に劣っている。
【０００７】
また、特許文献１に記載された簡易防護帽は、扁平に折り畳んで収納できるものであるが、その製造にあたっては、長尺の発泡ポリウレタンシートを渦巻状に巻き取り、巻き取った発泡ポリウレタンシートがほどけてしまうことがないように、巻き終わり付近をリベットで固定する必要があり、さらに帽体の中央部付近を押し出して立体的な帽子形状に変形して装用する際に、渦巻状に巻き取られたポリウレタンシートがほどけてしまうことを防止するためにバンドを装着することが必要であるため、複数のパーツが必要となり、組み立て作業も繁雑で手間がかかるという問題点があった。
【０００８】
従って、本発明は従来技術の上述した問題点を解消するものであり、その目的は、不使用時に平板状に折り畳みして嵩張らずに保管、収納できると共に、使用時には容易に立体的な帽子形状に変形して迅速に装着することができ、さらには、クッション等の敷物や浮き輪などの別の機能品としても使用できる簡易保護帽を提供することにある。
【０００９】
また、本発明の他の目的は、組み立て作業が不用で、簡単かつ安価に製作することができる簡易保護帽を提供することにある。
【課題を解決するための手段】
【００１０】
本発明によれば、簡易保護帽は、所定の厚さを有する板状の合成樹脂発泡材の中心付近から外側に向かって、厚み方向に貫通した複数の渦巻き状切り込み線からなる渦巻き線状部を備え、複数の渦巻き状切り込み線は、始端が発泡材の中央部に中心から所定半径の円周上に配置され、終端が始端から３６０度を超えた位置に配置され、一重を超える渦巻き線として形成されている。
【００１１】
板状の合成樹脂発泡材の中心付近から外側に向かって、厚み方向に貫通した複数の渦巻き状切り込み線からなる渦巻き線状部を始端が発泡材の中央部に中心から所定半径の円周上に配置され、終端が始端から３６０度を超えた位置に配置され、一重を超える渦巻き線として設けることにより、使用時に頭部に装着する際に発泡材の中央部の渦巻き線状部が頭部によって押し出され使用者の頭の大きさに合った立体的な帽子形状に変形することができる。また、頭頂部に該当する部分に切り込み線のない一定面積の円形部分を設けているため、頭頂部を確実に保護できるようにすると共に、頭部の形状に追従しスムーズな変形を実現することができる。さらに、この簡易保護帽は、板状の合成樹脂発泡材に、厚み方向に貫通した複数の渦巻き状切り込み線を形成することだけで製作可能なため、従来のように複数のパーツからの組み立て作業が不要であり、極めて簡単かつ安価に製作することができる。
【００１２】
複数の渦巻き状切り込み線は、始端が発泡材の中央部に中心から所定半径の円周上に等間隔に配置され、終端が始端から３６０度を超えた位置に配置され、一重を超える渦巻き線として形成されていることが好ましい。これにより、渦巻き線が所定半径の円周上に均等に配置されるため、さらに頭部の形状に追従しスムーズな変形を実現することができる。
【００１３】
複数の渦巻き状切り込み線の本数は、３本以上とすることが好ましい。渦巻き状切り込み線の本数を３本以上とすることにより、着用時にスムーズに板状から帽子状に変形させることができ、さらに型崩れ（螺旋状に突出した状態が崩れる現象）が起こりにくくなる。
【００１４】
渦巻き状切り込み線は、この渦巻き状切り込み線の外周側又は内周側に突出するように切り込みされた突起部を有することも好ましい。渦巻き状切り込み線に突起部を設けることにより、渦巻き状切り込み線の間に形成される帯状部の外側又は内側の側面には突起溝が形成され、この突起溝と対向する帯状部の内側又は外側の側面には突起溝と嵌合する凹溝が形成される。それゆえ、使用者の頭部で渦巻き線状部を押し出して立体的な帽子形状に変形させる際、帯状部の側面に形成された突起溝は対向する凹溝に案内されながら上方に移動するため、偏りがなく、全体としてバランスのよいドーム状への変形がなされる。さらに、帯状部は螺旋状に上方に押し出されるところ、帯状部の突起溝は対向する凹溝内に係止されるために捻り抵抗が生じ、過度の変形が抑制され、帯状部の側面が互いにバランスよく重なったドーム状の帽子形状を形成することができる。
【００１５】
発泡材の外周端部の付近に少なくとも一部が厚み方向に貫通しないハーフカット線が設けられて外周端部を片方へ折り曲げ可能な折り曲げ部を備えていることが好ましい。発泡材の外周端部の付近に少なくとも一部が厚み方向に貫通しないハーフカット線が設けられて外周端部を片方へ折り曲げ可能な折り曲げ部を設けることにより、折り曲げ部は使用者の耳及び頸部を保護することができる。さらに、この簡易保護帽は、板状の合成樹脂発泡材に、厚み方向に貫通した複数の渦巻き状切り込み線と、外周端部の付近に少なくとも一部が厚み方向に貫通しないハーフカット線とを形成することだけで製作可能なため、従来のように複数のパーツからの組み立て作業が不要であり、極めて簡単かつ安価に製作することができる。
【００１６】
発泡材は、多角形状に形成されており、折り曲げ部には、発泡材の各角部に対応する位置にそれぞれ根元より先端部を大きくした平面視楔形の突出部を形成するように楔形切り込み線が設けられ、ハーフカット線は、突出部の根元の両側の楔状切り込み線と発泡材の端縁とを結ぶ位置にそれぞれ設けられていることが好ましい。これにより、折り曲げ部の使用時における折り曲げ状態及び保管時における非折り曲げ状態をそれぞれ確実に保持することができる。
【００１７】
発泡材の厚さは、頭部に装着した状態において、複数の渦巻き状切り込み線の間に形成された複数の帯状部の側面が互いに一部重なって隙間なく螺旋状に押し出されてドーム状に変形可能になるように形成されていることが好ましい。これにより、使用者の頭部が隙間なく帯状部で包まれるため、頭部が確実に保護される。ここで、「隙間無く」とは、帯状部の間から使用者の頭部がハッキリ見えるほどの隙間がなく、隙間が極めて狭いという意味である。
【００１８】
発泡材は、発泡ポリエチレン、発泡ポリウレタン及びエチレン−酢酸ビニル共重合樹脂発泡体からなる群より選ばれた少なくとも一種の発泡樹脂から形成されている独立気泡型の発泡体であることが好ましい。これにより、適度な緩衝性を確保し、頭部を確実に保護することができると共に、折り畳み状態にして座クッション又は浮き輪（フロート）としても利用することができる。
【発明の効果】
【００１９】
本発明によれば、簡易保護帽は、板状の合成樹脂発泡材の中心付近から外側に向かって、厚み方向に貫通した複数の渦巻き状切り込み線からなる渦巻き線状部を、始端が発泡材の中央部に中心から所定半径の円周上に配置され、終端が始端から３６０度を超えた位置に配置され、一重を超える渦巻き線として設けることで、災害時に頭部に装着する際に発泡材の中央部の渦巻き線状部が頭部によって押し出され使用者の頭の大きさに合った立体的な帽子形状に変形され得る。また、発泡材の外周端部の付近に少なくとも一部が厚み方向に貫通しないハーフカット線が設けられて外周端部を片方へ折り曲げ可能な折り曲げ部を設けることで、折り曲げ部は使用者の耳及び頸部を保護することができる。また、簡易保護帽は、板状の合成樹脂発泡材に厚み方向に貫通した複数の渦巻き状切り込み線と、外周端部の付近に少なくとも一部が厚み方向に貫通しないハーフカット線とを形成することだけで製作可能なため、従来のように複数のパーツからの組み立て作業が不要であり、極めて簡単かつ安価に製作することができる。さらに、使用しない際には、すぐに板状の状態にすることができ、保管スペースを少なくできると共に、携帯性をも具備できる。
【００２０】
また、複数の渦巻き状切り込み線は、始端が発泡材の中央部に中心から所定半径の円周上に等間隔に配置され、終端が始端から３６０度を超えた位置に配置され、一重を超える渦巻き線として形成されていることで、頭頂部に該当する部分に位置する一定面積の円形部分が頭頂部を確実に保護すると共に、頭部の形状に追従しスムーズな変形を実現することができる。
【００２１】
さらに、発泡ポリエチレン、発泡ポリウレタン、エチレン−酢酸ビニル共重合樹脂発泡体の少なくとも一つから形成された独立気泡型の発泡材を用いることで、適度な緩衝性を確保し、頭部を確実に保護することができると共に、折り畳み状態にして座クッション又は浮き輪としても利用することができる。
【図面の簡単な説明】
【００２２】
【図１】本発明の第一の実施形態における簡易保護帽の構成を概略的に示す使用状態の斜視図である。
【図２】図１の簡易保護帽の構成を概略的に示す折り畳み状態の斜視図である。
【図３】図１の簡易保護帽の折り畳み状態の平面図（上側から見た図）、底面図（下側から見た図）及びＡ−Ａ線断面図である。
【図４】図１の簡易保護帽の使用状態の平面図（上側から見た図）及び底面図（下側から見た図）である。
【図５】図１の簡易保護帽の使用状態の正面図、側面図及びＢ−Ｂ線断面図である。
【図６】本発明の第二の実施形態における簡易保護帽の折り畳み状態の平面図（上側から見た図）及び使用状態の正面図である。
【図７】図６の簡易保護帽の使用状態の斜視図である。
【図８】第二の実施形態における簡易保護帽の他の例を示す折り畳み状態の平面図である（渦巻き状切込み線の他のパターンを示す）。
【図９】本発明の第三の実施形態における簡易保護帽の折り畳み状態の平面図（上側から見た図）及び使用状態の側面図である。
【図１０】図９の簡易保護帽の使用状態の斜視図である。
【図１１】第三の実施形態における簡易保護帽の他の例を示す使用状態の正面図及び側面図である。
【発明を実施するための形態】
【００２３】
以下、本発明に係る簡易保護帽の実施形態を、図を参照して説明する。
【００２４】
図１は本発明の第一の実施形態における簡易保護帽１００の構成（使用状態）を示しており、図２は簡易保護帽１００の構成（折り畳み状態）を示している。図３（ａ）は簡易保護帽１００の折り畳み状態の上から見た図であり、（ｂ）は下から見た図であり、（ｃ）はＡ−Ａ線断面図である。図４（ａ）は簡易保護帽１００の使用状態の上から見た図であり、（ｂ）は下から見た図である。図５（ａ）は簡易保護帽１００の使用状態の正面から見た図であり、（ｂ）は側面から見た図であり、（ｃ）は図４（ａ）中のＢ−Ｂ線断面図である。また、図１〜図５では、厚み方向に貫通した切り込み線（渦巻き状切り込み線１１及び楔形切り込み線２３）と区別するために、ハーフカット線２１を破線で表示している。
【００２５】
図１〜図５に示すように、本実施形態に係る簡易保護帽１００は、所定の厚さを有する板状の合成樹脂発泡材１の中心付近から外側に向かって、厚み方向に貫通した複数の渦巻き状切り込み線１１からなる渦巻き線状部１０と、発泡材の外周端部の付近に少なくとも一部が厚み方向に貫通しないハーフカット線２１が設けられて外周端部を片方へ折り曲げ可能な折り曲げ部２０とを備えている。
【００２６】
本実施形態においては、発泡材１は、板状の発泡ポリエチレンを用いて四角形状に形成されている。この発泡材１の厚さは、頭部に装着した状態において、複数の渦巻き状切り込み線１１の間に形成された複数の帯状部の側面３０ａが互いに一部重なって隙間なく螺旋状に押し出されてドーム状に変形可能になるように形成されるように設計され、例えば、２０ｍｍ〜８０ｍｍであることが好ましく、３０ｍｍ〜６０ｍｍであることがより好ましい。発泡材１の厚さが、２０ｍｍより小さい場合は、着用時に渦巻き線状部１０が頭部によって押し出され立体的な帽子形状に変形する際に、複数の渦巻き状切り込み線１１の間に形成された複数の帯状部の側面３０ａが互いに一部重なることができず、隙間が生じ、保護性が低下する恐れがある。また、８０ｍｍより厚みが大きい場合は、立体的な帽子形状へスムーズに変形しにくくなり、保護帽自体の体積や重量も増えるため、使用者の動きが妨げられる恐れがある。発泡ポリエチレンは、柔軟で曲げ易く、緩衝性、可撓性、耐候性、断熱性、加工性等に優れているほか、摩擦係数が低く、立体形状へのスムーズな変形をもたらすことができるため、簡易保護帽１００の材料として最適である。なお、発泡材１には、発泡ポリエチレン以外の発泡ポリオレフィンや発泡ポリウレタンやエチレン−酢酸ビニル共重合樹脂発泡体などの公知の発泡樹脂材料を用いてもよい。また、発泡材１内部への吸水をし難くし、さらに保護帽として使用しない際には浮き輪としても機能させる観点から、独立気泡型の発泡材が好ましい。
【００２７】
渦巻き線状部１０は、発泡材１の略中央部に設けられた複数の渦巻き状切り込み線１１から形成される。ここで、複数の渦巻き状切り込み線１１は、例えば、トムソン刃等を用いて後述するハーフカット線２１等と同時に形成される。渦巻き状切り込み線１１は、３本以上設けることが好ましく、５本以上設けることがより好ましく、７本以上設けることが特に好ましい。本実施形態では、８本の渦巻き状切り込み線１１を設けている。これにより、着用時にスムーズに板状から帽子状に変形させることができる。渦巻き状切り込み線１１の数が３本より少ない場合は、着用時に帽体を形成する際に変形しにくい、かつ頭部へのフィット性が低下する場合がある。また、これら渦巻き状切り込み線１１は、その始端が発泡材１の中央部に中心から所定半径（例えば、３０ｍｍ〜５０ｍｍ）の円周上に等間隔に配置され、その終端が始端から３６０度を超えた位置に配置され、一重を超える渦巻き線として形成されている。渦巻き状切り込み線１１の始端を発泡材１の中央部に中心から所定半径の円周上に配置することで、頭頂部に該当する部分に切り込み線のない一定面積の円形部分を設け、頭頂部を確実に保護できるようにし、頭部の形状に近いドーム状に形成することができる。また、渦巻き状切り込み線１１の終端を始端から３６０度を超えた位置に配置し、一重を超える渦巻き線として形成することで、着用時に帽体として十分な深さ（被る深さ）となる変形を実現することができる。一方、終端を始端から３６０度を超えない位置とすると、着用時の帽体としての深さが不十分となり、被る深さが浅くなりやすく、立体的な帽子形状へスムーズに変形しにくくなり、着用時の帽体としての深さが不十分となり、被る深さが浅くなりやすく、着用時の安定性及び保護性能が低下する。また、２本の渦巻き状切り込み線１１間の間隔は、５ｍｍ〜２０ｍｍとすることが好ましい。２本の渦巻き状切り込み線１１間の間隔が５ｍｍより小さい場合は、その間に形成された帯状部３０が薄くなるため、強度が低下し、衝撃緩衝効果が低下する恐れがある。一方、２本の渦巻き状切り込み線１１間の間隔が２０ｍｍより大きい場合は、着用時に帽体を形成する際にスムーズな変形がしにくい、かつ頭部へのフィット性が低下する。なお、渦巻き状切り込み線１１は、本実施形態においては線と線との間の距離が等間隔で配置されているが、終端方向に向かって徐々に広がるように配置されることも可能である。また、本実施形態では、８本の渦巻き状切り込み線１１は同じ形状であるが、それぞれ異なる線形状としてもよい。さらに、渦巻き状切り込み線１１は横波状に蛇行状形状としてもよい。
【００２８】
折り曲げ部２０は、発泡材１の各角部に形成されている。これら折り曲げ部２０は、発泡材１の各角部の付近に少なくとも一部が厚み方向に貫通しないハーフカット線２１が設けられて、その外端部が片方（下方）へ折り曲げ可能な三角形状に形成されている。また、発泡材１の各角部に対応する位置にそれぞれ根元より先端部を大きくした平面視楔形の突出部２２を形成するように厚み方向に貫通した楔形切り込み線２３が設けられ、ハーフカット線２１は、突出部２２の根元の両側の楔状切り込み線２３と発泡材１の端縁とを結ぶ位置にそれぞれ設けられている。即ち、折り曲げ部２０は、楔形切り込み線２３と、その両側のハーフカット線２１とを設けることで形成されている。ハーフカット線２１に対応する未切断部分（切断されずに残留する連結部）は、折り曲げのヒンジとして機能する。また、突出部２２を設けることにより、折り曲げ部２０の折り曲げ状態及び非折り曲げ状態（折り畳み状態）をそれぞれ確実に保持することができる。なお、突出部２２の形状及び大きさは、これに限定されるものではない。
【００２９】
図１に示すように、簡易保護帽１００を着用する際に、渦巻き線状部１０は、頭部により上方へ押し出され、帽体が形成される。また、４つの折り曲げ部２０のうち、３つの折り曲げ部２０を下方へ折り曲げ、両耳及び頸部を保護する部分とし、１つの折り曲げ部２０は折り曲げずに帽子のツバとして利用する。このように、渦巻き線状部１０により形成された帽体部で頭部を確実に保護することができ、かつ折り曲げ部２０で耳及び頸部をカバーして保護することができる。
【００３０】
上述した簡易保護帽１００を製造するにあたっては、板状の合成樹脂発泡材１に対して、複数の渦巻き状切り込み線１１、ハーフカット線２１及び楔形切り込み線２３を形成するためのトムソン刃を備えるトムソン型を用いてプレス加工するのみである。
【００３１】
以上説明したように、本実施形態の簡易保護帽１００は、所定の厚さを有する板状の合成樹脂発泡材１の中心付近から外側に向かって、厚み方向に貫通した複数の渦巻き状切り込み線１１からなる渦巻き線状部１０と、発泡材１の外周端部の付近に少なくとも一部が厚み方向に貫通しないハーフカット線２１が設けられて外周端部を片方（下方）へ折り曲げ可能な折り曲げ部２０とを備えている。
【００３２】
これにより、災害時に頭部に装着する際に発泡材の中央部の渦巻き線状部１０が頭部によってすみやかに押し出され立体的な帽子形状に変形することができる。また、折り曲げ部２０は耳及び頸部を保護することができる。また、板状の合成樹脂発泡材１に厚み方向に貫通した複数の渦巻き状切り込み線１１と、外周端部の付近に少なくとも一部が厚み方向に貫通しないハーフカット線２１とを形成することだけで得られるため、従来のように複数のパーツからの組み立て作業が不要であり、極めて簡単かつ安価に製造することができる。さらに、使用しない際には、直ちに板状の状態にすることができ、保管スペースを少なくできると共に、携帯性をも具備できることになる。
【００３３】
また、複数の渦巻き状切り込み線１１は、始端が発泡材１の中央部に中心から所定半径の円周上に等間隔に配置され、終端が始端から３６０度を超えた位置に配置され、一重を超える渦巻き線として形成されていることで、頭頂部に該当する部分に位置する一定面積の円形部分が頭頂部を確実に保護すると共に、頭部の形状に追従しスムーズな変形を実現することができる。
【００３４】
また、発泡材１は、多角形状に形成されており、折り曲げ部２０には、発泡材１の各角部に対応する位置にそれぞれ根元より先端部を大きくした平面視楔形の突出部２２を形成するように楔形切り込み線２３が設けられ、ハーフカット線２１は、突出部２２の根元の両側の楔状切り込み線２３と発泡材１の端縁とを結ぶ位置にそれぞれ設けられていることで、折り曲げ部２０の折り曲げ状態及び非折り曲げ状態（折り畳み状態）をそれぞれ確実に保持することができる。
【００３５】
発泡材１は、柔軟で曲げ易い発泡ポリエチレン、発泡ポリウレタン、エチレン−酢酸ビニル共重合樹脂発泡体のうち、少なくとも一種の発泡樹脂体から形成されていることで、スムーズな変形を実現し、適度な緩衝性を確保して災害時に頭部を確実に保護することができると共に、折り畳み状態にして座クッション又は浮き輪（フロート）としても利用することができる。
【００３６】
また、発泡材１は、二層以上の積層構造としてもよく、各層を構成する発泡材の硬さ等の物性や材質、外殻形状を異ならせてもよい。例えば、硬さの異なる発泡材を積層し、頭に接する側を柔らかい発泡材とし、保護具外側を硬い発泡材とすることで、頭部の保護と装着感を兼ね備えた簡易保護帽とすることができる。
【００３７】
また、装着時に突出する側（保護帽の外側となる側）の発泡材１の表面に、樹脂フィルムやシート（板材含む）を積層した状態で複数の渦巻き状切り込み線１１を形成してもよい。積層する樹脂フィルムやシートは、装着時の突出変形を著しく阻害しない程度の硬さや可撓性、変形性を有したものが選択される。このような構成とすることで、装着時に頭部の形状に追従しスムーズな変形を実現するとともに、頭部の保護性能により優れた簡易保護帽１００が得られる。
【００３８】
また、装着時に突出する側（保護帽の外側となる側）の発泡材１の表面に、布材を積層した状態で複数の渦巻き状切り込み線１１を形成してもよい。布材を積層した状態で複数の渦巻き状切り込み線１１を形成することによって、発泡材１の表面を補強することができ、難燃性の布材を適用することで発泡体の表面を火の粉などに対する一時的な耐火性を付与することができる。また、発泡材１に複数の渦巻き状切り込み線１１を形成したあとに、装着時に突出する側（保護帽の外側となる側）の表面を装着時の帽子形状（ドーム形状）に沿うように伸縮性のある布材で覆ってもよく、非伸縮性の布材の場合には、中央部を山高状に突出した形状としてもよい。
【００３９】
また、発泡材１の難燃性を高めるため、難燃性の合成樹脂発泡材を適用することが好ましい。また、別の方法として、複数の渦巻き状切り込み線１１の切込加工や折り曲げ部２０のハーフカット加工を行い、装着した形態に変形させた発泡体１の表面に難燃性材料のコーティングを施してもよい。
【００４０】
なお、上述した実施形態の簡易保護帽１００において、発泡材１は、四角形状に形成されている例を説明したが、本発明はこれに限定されるものではない。三角形状又は六角形状にしてもよい。さらに、円形又は楕円形にしてもよい。
【００４１】
また、上述した実施形態の簡易保護帽１００において、突出部２２の形状は楔形に形成した例を説明したが、本発明はこれに限定されるものではない。折り曲げ部２０の折り曲げ状態及び非折り曲げ状態（折り畳み状態）をそれぞれ保持することができる形状であればよい。
【００４２】
また、上述した実施形態の簡易保護帽１００において、楔形の突出部２２の横方向の幅が比較的に大きく形成された例を説明したが、本発明はこれに限定されるものではない。突出部２２の横方向の幅を小さくしてもよく、この場合、ハーフカット線２１の長さが比較的に長くなり、折り曲げの耐久性を向上することができると共に、折り曲げ部２０の面積が大きくなり、より安全に耳及び頸部を保護することができる。
【００４３】
また、上述した実施形態の簡易保護帽１００において、楔形の突出部２２を形成せずにハーフカット線２１のみによる折り曲げ部２０だけ形成してもよい。また折り曲げ部２０を形成する箇所は角部に限定されず、発泡材の外周端部の付近であればよく、例えば各辺に沿って形成してもよい。
【００４４】
さらに、上述した実施形態の簡易保護帽１００においては、折り曲げ部２０を備えた構成としているが、折り曲げ部２０がない構成としてもよい。また、顎紐となるようなベルトなどの部品を適宜取り付ける構成としてもよい。
【００４５】
次に、図６〜図８を参照し、第二の実施形態に係る簡易保護帽１０１について説明する。図６に示すように、簡易保護帽１０１の渦巻き線状部１０は複数の渦巻き状切り込み線１２から形成されているところ、本実施形態に係る渦巻き状切り込み線１２には、渦巻き線の外周側に逆Ｖ字状に突出するように切り込みされた突起部１２ａが一定間隔で複数個設けられている。この突起部１２ａを設けることにより、帯状部の外周側の側面３０ａには突起溝３０ｂが発泡材１の厚み方向に連続して形成され、この突起溝３０ｂと対向する帯状部の内周面には、突起溝３０ｂとぴったり嵌合するＶ字溝が形成される。そのため、着用時、すなわち、使用者の頭部で渦巻き線状部１０を押し出して立体的な帽子形状に変形させる際には、帯状部の側面３０ａに形成された突起溝３０ｂは対向するＶ字溝内に案内されながら上方に移動するため、移動に偏りがなく、全体としてバランスのよいドーム状への変形がなされる。そして、このとき、帯状部３０は螺旋状に上方に押し出されるが、帯状部の突起溝３０ｂが対向するＶ字溝内に係止されているため、捻り抵抗が生じ、過度の変形が抑制されるため、帯状部の側面３０ａが互いにバランスよく重なったドーム状の帽子形状を形成することができる。
【００４６】
図６に示す渦巻き状切り込み線１２は、１本の切り込み線につき、９つの突起部１２ａを有しており、各渦巻き状切り込み線１２の突起部１２ａは渦巻き状線部１０の中心付近から略４５度の角度で放射状に略同一直線上に配置されている。これによって、使用時におけるドーム状への変形が安定してなされる。
【００４７】
なお、渦巻き状切り込み線に設けられる突起部の形状、個数及び配置位置は図６及び図７に示すものに限定されず、本実施形態において説明した機能を備えていればどのような形状、個数及び配置位置であってもよい。一例として、図８に示す渦巻き線状部１０のように、１本の切り込み線１３につき、１つの突起部１３ａを備えるものであってもよい。また、突起部１２ａが形成される方向は、渦巻き状切り込み線１２の外周側に限られず、渦巻き状切り込み線１２の内周側でもよく、外周側と内周側の組み合わせとすることもできる。
【００４８】
本実施形態における簡易保護帽１０１の他の構成及び簡易保護帽１０１の製造に関する説明は、上述した第一の実施形態の場合と同様であり、その作用効果も同様である。
【００４９】
次に、図９〜図１１を参照し、第三の実施形態に係る簡易保護帽１０２について説明する。図９に示すように、本実施形態に係る簡易保護帽１０２の発泡材１’は、板状の発泡ポリエチレンを用いて、略円形の外周の一部が外方に伸長した形状（しずく型状）に形成されている。渦巻き線状部１０は、この発泡材１’の略円形部分の略中央部に設けられ、発泡材１’の略円形部分から外方に伸長した部分は帽子の鍔部４０として設けられている。図６では、渦巻き状線部１０を構成する複数の渦巻き状切り込み線１２は、第二の実施形態で説明した突起部１２ａを有する渦巻き状切り込み線１２であるが、第一の実施形態で説明した突起部１２ａを有さない渦巻き状切り込み線１１であってもよい。発泡材１’の渦巻き状線部１０の外周近傍には、あご紐５１を取り付けるためのあご紐用切り込み線５０が設けられている。使用時には、図１０に示すようにあご紐５１をあご紐用切り込み線５０に取り付けておき、使用者の頭部で簡易保護帽１０２の渦巻き線状部１０を上方に押し出して立体的な帽子形状に変形させた後、あご紐５１のベルトを締めることにより、簡易保護帽１０２の脱落を防ぐことができる。
【００５０】
本実施形態に係る簡易保護帽１０２には、上述した第一及び第二の実施形態に設けられていた折り曲げ部２０を有さないため、コンパクトな形状であり、かさばらずに取り扱いすることができる。なお、本実施形態における発泡材１’の形状として、図９では「しずく型状」を例示したが、これに限定されるものではなく、円形状、三角形や四角形等の多角形状などであってもよい。
【００５１】
また、図１１に示すように、本実施形態に係る簡易保護帽１０２には、発泡材１’の鍔部４０を除く周縁部に、使用者の耳や頸部を保護する覆い部６０を設ける構造とすることもできる。覆い部６０は、簡易保護帽１０２の底面側（頭部装着側）に設けられ、渦巻き状線部１０及びあご紐用切り込み線５０の機能を妨げないよう、これらが設けられていない発泡材１’の周縁部に発泡体ブロック等を積層することによって形成される。覆い部６０を設けることにより、使用者の耳及び頸部が保護されるほか、装着時の安定性も向上する。
【００５２】
本実施形態における簡易保護帽１０２の他の構成及び簡易保護帽１０２の製造に関する説明は、上述した第一及び第二の実施形態の場合と同様であり、その作用効果も同様である。
【００５３】
本発明は、上記の実施形態に限定されるものでなく、特許請求の範囲に記載された発明の要旨を逸脱しない範囲内での種々、設計変更した形態を技術的範囲に含むものである。
【産業上の利用可能性】
【００５４】
本発明は、作業時や災害時に避難する際などに落下物や障害物による打撲から頭部を保護するために利用可能であり、不使用時にはコンパクトに折り畳みして保管、収納することができ、敷物や浮き輪としても使用できるものである。
【符号の説明】
【００５５】
１、１´  発泡材
１０  渦巻き線状部
１１、１２、１３  渦巻き状切り込み線
１２ａ、１３ａ  突起部
２０  折り曲げ部
２１  ハーフカット線
２２  突出部
２３  楔形切り込み線
３０  帯状部
３０ａ  帯状部の側面
３０ｂ  帯状部の突起溝
４０  鍔部
５０  あご紐用切り込み線
５１  あご紐
６０  覆い部
１００、１０１、１０２  簡易保護帽
【図１】
2019026997.tif 000003
【図２】
2019026997.tif 000004
【図３】
2019026997.tif 000005
【図４】
2019026997.tif 000006
【図５】
2019026997.tif 000007
【図６】
2019026997.tif 000008
【図７】
2019026997.tif 000009
【図８】
2019026997.tif 000010
【図９】
2019026997.tif 000011
【図１０】
2019026997.tif 000012
【図１１】
2019026997.tif 000013